(57)【要約】      （修正有）【課題】被施療者のポジション変更が容易で施療者にとっても省スペースとなる施療用寝台を提供する。【解決手段】寝台１において、人体の脚上部から上を乗せる部分１Ａとそれ以外の脚部を乗せる部分１Ｂとに分割し、両者を前後方向の引き離しと引き戻し一体化を可能にするガイドレール体２を介し連結する。また寝台１において、人体の脚上部から上を乗せる部分１Ａと、脚上部近辺を乗せる部分と、脚下部を乗せる部分とに３分割し、脚上部から上を乗せる部分１Ａと脚下部を乗せる部分を連結固定するとともに、脚上部近辺を乗せる部分を取り外し可能状にして成るようにする。或いは寝台のマット体において、人体の脚上部から上を乗せる部分と脚下部を乗せる部分とを引き離して寝台全体を固定するとともに、引き離された空隙部に脚上部近辺を乗せるマット体を着脱自在にセットする。【選択図】図２
0003215741.tif 000002
【実用新案登録請求の範囲】
【請求項１】
寝台において、人体の脚上部から上を乗せる部分とそれ以外の脚部を乗せる部分とに分割し、両者を前後方向の引き離しと引き戻し一体化を可能にするガイドレール体を介し連結して成ることを特徴とする施療用寝台。
【請求項２】
寝台において、人体の脚上部から上を乗せる部分と、脚上部近辺を乗せる部分と、脚下部を乗せる部分とに３分割し、脚上部から上を乗せる部分と脚下部を乗せる部分を連結固定するとともに、脚上部近辺を乗せる部分を取り外し可能状にして成ることを特徴とする施療用寝台。
【請求項３】
寝台のマット体において、人体の脚上部から上を乗せる部分と脚下部を乗せる部分とを引き離して寝台全体を固定するとともに、引き離された空隙部に脚上部近辺を乗せるマット体を着脱自在にセットして成ることを特徴とする施療用寝台。
【考案の詳細な説明】
【考案の詳細な説明】
【技術分野】
【０００１】この考案は、施療や診療全般、及びエステ等に用いられる寝台に関する。
【背景技術】
【０００２】各種医療診療関係及び整体・指圧・マッサージ・鍼灸等の施療において寝台は必須のものとなっており、その形態はシンプルなものから椅子兼用のリクライニング型、電動式のものなど多岐にわたるが、基本的には全体が一体化したものになっていることに変わりはない。
【考案の開示】
【考案が解決しようとする課題】
【０００３】かかる施療などにおいて、被施療者は常にうつ伏せ、横臥等、横になっているばかりとは限らず、時には腰掛けた状態で応対する必要になることも多い。そんな場合、被施療者は寝台から体をずらして端に座るか、別の椅子を用意する必要があり、施療者にとってもスペースがとりにくいなどの問題点があった。【０００４】本考案はこのような問題点を解決して、被施療者のポジション変更が容易で施療者にとっても省スペースとなる施療用寝台を提供することを課題とする。
【課題を解決するための手段】
【０００５】寝台１において、人体の脚上部から上を乗せる部分１Ａとそれ以外の脚部を乗せる部分１Ｂとに分割し、両者を前後方向の引き離しと引き戻し一体化を可能にするガイドレール体２を介し連結して、本考案の施療用寝台とする。
この寝台１を普通に使用するときは１Ａと１Ｂが互いに接触し一体化した状態（図１）にしておけばよいが、被施療者を腰掛け状態にしたいときには、１Ｂの部分をガイドレール体２に従って後方に移動させ、膝から下が余裕をもって入るだけの隙間をつくるようにすれば（図２）、１Ａや１Ｂが直ちに椅子として使えることになる。【０００６】上記ガイドレール体２は、例えば１Ａの支持脚の両側部に前後方向水平に固定するパイプ体に、その内径に外径が略等しく１Ｂの支持脚の両側部に前後方向水平同高さに固定するパイプ体を滑動可能状に挿入することによって設置できる。【０００７】或いは寝台１において、人体の脚上部から上を乗せる部分１Ａと、脚上部近辺を乗せる部分１Ｂａと、脚下部を乗せる部分１Ｂｂとに３分割（図３）し、脚上部から上を乗せる部分１Ａと脚下部を乗せる部分１Ｂｂを連結固定するとともに、脚上部近辺を乗せる部分１Ｂａを取り外し可能状にして成るようにしてもよい。【０００８】この場合も、１Ｂａを取り外して脇に移せば（図４）、そこに膝下を入れる十分な隙間が出来るから、同じく１Ａや１Ｂｂを椅子として使えることになる。【０００９】この際、足を乗せる踏み台４を１Ａと１Ｂｂの連結固定具を兼ねて設けるとよい。【００１０】更に別形態として、寝台のマット体１Ｍにおいて、人体の脚上部から上を乗せる部分１ＭＡと脚下部を乗せる部分１Ｍｂとを引き離して寝台全体を固定するとともに、引き離された空隙部に脚上部近辺を乗せるマット体１Ｍａを、棚１Ｃを設けるなどして着脱自在にセットしてもよい（図５）。この際、例えば蝶番で１Ｍａを１ＭＡか１Ｍｂに連結しても、着脱自在の範疇に含めるものとする。【００１１】この場合も基本的には同様であって、隙間に１Ｍａが乗りカバーされていれば寝台として使用できるが、１ｍａを取り外すか或いは蝶番の下に垂らせば、そこに膝下を入れる十分な隙間が出来るから、同じく１ＭＡや１Ｍｂの箇所を椅子として使うことができる。また腰掛けたときに足を乗せる踏み台４を前記同様に寝台全体の固定具としても使用できる。
【考案の効果】
【００１２】本考案によれば、様々な施療や診療の現場においてその最中に、患者が寝た状態から腰掛けた状態に、或いはその逆方向に移行する必要がある場合、患者はその寝位置や座位置を移動させることなく状態ポジションを容易かつ速やかに変えることができ、別個の椅子を用意する必要もなく、施療側にとっても施療や診療が行い易くなると同時に場所をとらないなどの効果がある。
【考案を実施するための形態】
【００１３】例えば整体施療用寝台１において、前方（本願では頭方向を前、足方向を後とする）約３分の２に相当する人体の脚上部から上を乗せる部分１Ａとそれ以外の脚部を乗せる部分１Ｂとに分割し、両者を前後方向の引き離しと引き戻し一体化を可能にするガイドレール体２を介し連結する。このガイドレール２は、例えば内径２０ｍｍ強のステンレス製パイプを１Ａの片側前後支持脚にこれを貫通するように固定し、その空洞内に滑入し得る外径２０ｍｍのステンレス製パイプを１Ｂの同じく片側前後支持脚にこれを貫通しかつ前方に数十ｃｍ飛び出すように固定して、後者のパイプを前者のパイプ内に滑り込ませた形態をなしている。１Ａと１Ｂを接触或いは適宜引き離した状態で固定させるための例えばダイヤル型止具３を１Ａの後部支持脚に設け、これを回すことによりその先端が予め設けられている支持脚と前者パイプ側部の貫通孔から前進して後者パイプに当たり固定する。なお１Ａや１Ｂの他側前後支持脚においても同様にかかるガイドレール２及び止具３を設けるものとする。
【００１４】他のガイドレール２を使わないような形態の場合も、図３〜５に示したような適宜比率で通常の寝台を分割した形のものを製作する。またいずれの場合も、分割状態で腰掛けたときに足を乗せる踏み台４を取り付け、これをもって前後に分断された寝台１が一体に連結固定されるようにする。なお本考案はかかる例に限らないことは勿論である。
【産業上の利用可能性】
【００１５】本考案の施療用寝台はニーズも多く、製作も現実的で容易であるから、産業上の利用可能性は十分にあるといえる。
【図面の簡単な説明】
【００１６】
【図１】本考案一例一状態の見取図
【図２】本考案一例別状態の見取図
【図３】本考案別例一状態の見取図
【図４】本考案別例別状態の見取図
【図５】本考案の更に別例の見取図
【符号の説明】
【００１７】１……寝台
１Ａ……脚上部から上を乗せる部分
１Ｂ……それ以外の脚部を乗せる部分
１Ｂａ……脚上部近辺を乗せる部分    １Ｂｂ……脚下部を乗せる部分
１Ｍ……マット体      １Ｍａ……マット体の脚上部から上を乗せる部分
１Ｍｂ……マット体の脚下部を乗せる部分        １Ｃ……棚
２……ガイドレール体
３……止具          ４……踏み台
【図１】
0003215741.tif 000003
【図２】
0003215741.tif 000004
【図３】
0003215741.tif 000005
【図４】
0003215741.tif 000006
【図５】
0003215741.tif 000007